(57)【要約】【課題】本発明は、上段の鍵によって位置表示が確認できなくなる可能性を低減でき、利用者の利便性を向上できる鍵管理装置を提供することを目的とするものである。【解決手段】鍵保持パネル２に設けられたホルダ挿入部２０には、光透過性を有する素材により構成されるとともに鍵ホルダ１が挿入される内側空間２０１を有するホルダケース２００と、ホルダケース２００を照らす発光部２２０とが含まれている。発光部２２０の発光によりホルダケース２００が光ることで利用者に対して鍵の位置表示が行われるように構成されている。【選択図】図５
2014218796.tif 000002
【特許請求の範囲】
【請求項１】
鍵がそれぞれ取付けられる複数の鍵ホルダと、
前記鍵ホルダがそれぞれ挿入される複数のホルダ挿入部と
を備え、
前記ホルダ挿入部には、光透過性を有する素材により構成されるとともに前記鍵ホルダが挿入されるホルダケースと、前記ホルダケースを照らす発光部とが含まれており、
前記発光部の発光により前記ホルダケースが光ることで利用者に対して鍵の位置表示が行われるように構成されている
ことを特徴とする鍵管理装置。
【請求項２】
前記ホルダケースの先端は、前記ホルダケースに挿入された前記鍵ホルダの外周を囲むように環状に形成されていることを特徴とする請求項１記載の鍵管理装置。
【請求項３】
前記ホルダケースは、前記鍵ホルダが挿入される内側空間を有しており、
前記発光部は、前記内側空間の外に配置されており、
前記ホルダケースの内側には、前記発光部の発光方向に対して傾斜して設けられ、前記発光部からの光を前記ホルダケースの先端に向けて反射する反射面が設けられている
ことを特徴とする請求項２記載の鍵管理装置。
【発明の詳細な説明】
【技術分野】
【０００１】
本発明は、鍵の利用を管理する鍵管理装置に関する。
【背景技術】
【０００２】
従来用いられていたこの種の鍵管理装置としては、例えば下記の特許文献１等に示されている構成を挙げることができる。すなわち、従来装置では、鍵保持パネルに複数のホルダ挿入部が設けられており、鍵が取付けられた鍵ホルダが各ホルダ挿入部に挿入される。そして、各ホルダ挿入部に挿入された鍵ホルダが係合部材に係合されることで、鍵の利用（持ち出し）が制限されている。
【０００３】
鍵ホルダと係合部材との係合は、所定の利用操作を行うことで解除される。各ホルダ挿入部の上方には位置表示部がそれぞれ設けられており、利用操作が行われた際に利用が許可された鍵に対応する位置表示部が発光することで、その利用が許可された鍵の位置が示される。また、各ホルダ挿入部から鍵ホルダが抜き取られた後に異なる色で位置表示部が発光することで、利用中の鍵の位置が示される。
【先行技術文献】
【特許文献】
【０００４】
【特許文献１】特開平７−１８９２９号公報
【発明の概要】
【発明が解決しようとする課題】
【０００５】
上記のような従来の鍵管理装置では、各ホルダ挿入部の上方に位置表示部が設けられているので、高さ方向に沿って複数段のホルダ挿入部を設けた場合に、上段のホルダ挿入部に挿入された鍵ホルダの鍵によって下段のホルダ挿入部の位置表示部が覆い隠される場合がある。位置表示部が覆い隠されると、例えば各鍵をずらす等、どこの位置表示部が発光しているのかを確認する作業が必要となり、利便性が低下している。
【０００６】
本発明は、上記のような課題を解決するためになされたものであり、その目的は、上段の鍵によって位置表示が確認できなくなる可能性を低減でき、利用者の利便性を向上できる鍵管理装置を提供することである。
【課題を解決するための手段】
【０００７】
本発明に係る鍵管理装置は、鍵がそれぞれ取付けられる複数の鍵ホルダと、鍵ホルダがそれぞれ挿入される複数のホルダ挿入部とを備え、ホルダ挿入部には、光透過性を有する素材により構成されるとともに鍵ホルダが挿入されるホルダケースと、ホルダケースを照らす発光部とが含まれており、発光部の発光によりホルダケースが光ることで利用者に対して鍵の位置表示が行われるように構成されている。
【発明の効果】
【０００８】
本発明の鍵管理装置によれば、発光部の発光によりホルダケースが光ることで利用者に対して鍵の位置表示が行われるように構成されているので、上段の鍵によって位置表示が確認できなくなる可能性を低減でき、利用者の利便性を向上できる。
【図面の簡単な説明】
【０００９】
【図１】本発明の実施の形態１による鍵管理装置を示す斜視図である。
【図２】図１の鍵ホルダを示す斜視図である。
【図３】図２の鍵ホルダを示す背面図である。
【図４】図１のホルダ挿入部を示す正面図である。
【図５】図４のホルダ挿入部の断面図である。
【発明を実施するための形態】
【００１０】
以下、本発明を実施するための形態について、図面を参照して説明する。
実施の形態１．
図１は、本発明の実施の形態１による鍵管理装置を示す斜視図である。図において、鍵管理装置には、複数の鍵ホルダ１、鍵保持パネル２、鍵交換部３及び操作手段４が設けられている。鍵ホルダ１は、本実施の形態の鍵管理装置によって利用が管理される鍵（図示せず）がそれぞれ取付けられる部材である。
【００１１】
鍵保持パネル２には、鍵ホルダ１がそれぞれ挿入される複数のホルダ挿入部２０が設けられている。本実施の形態では、鍵管理装置の高さ方向（鍵管理装置の載置面に垂直な方向）に沿って３段に分れてホルダ挿入部２０が設けられており、各段には鍵管理装置の幅方向に互いに間隔を置いて１０個のホルダ挿入部２０が設けられている。図１では示していないが、ホルダ挿入部２０に挿入された鍵ホルダ１は係合部材２１０に係合されており（図５参照）、ホルダ挿入部２０から鍵ホルダ１を自由に引き抜くことができないようにされている。すなわち、鍵ホルダ１が係合部材２１０に係合されることで、鍵の利用（持ち出し）が制限されている。
【００１２】
鍵交換部３は、鍵ホルダ１に取付けられる鍵を交換する際に用いられるものである。鍵交換部３には、鍵保持パネル２の下部に配置された交換時挿入部３０と、鍵管理装置内に内蔵された交換ユニット３１とが含まれている。交換時挿入部３０には、鍵を交換する際に鍵ホルダ１が挿入される。交換ユニット３１は、交換時挿入部３０に挿入された鍵ホルダ１に対して所定の操作を行うことで鍵ホルダ１のロックを解除して、ホルダアーム１２を取り外すことができるようにする。
【００１３】
図示はしないが、鍵保持パネル２及び鍵交換部３は、外パネルにより覆い隠すことができるように構成されている。外パネルは、鍵管理装置の幅方向に沿う鍵保持パネル２の一端側に設けられたヒンジ５に回動可能に取付けられるものであり、鍵保持パネル２及び鍵交換部３を覆い隠している状態でロック可能に設けられている。外パネルのロックは、鍵の利用又は交換の権限を有する利用者が操作手段４にて所定の操作を行った際に解除される。
【００１４】
操作手段４は、鍵保持パネル２の側方に配置されており、表示パネル４０、接触式カードリーダ４１及び非接触式カードリーダ４２を含んでいる。表示パネル４０は、例えば利用者が行うことができる操作の種類（鍵を利用するための利用操作及び鍵を交換するための交換操作等）、操作手順及び操作結果等の情報を利用者に表示するためのものである。また、表示パネル４０は、タッチパネル等により構成されており、例えば利用者が行う操作種類の指定等の情報入力を行うための入力手段も兼ねている。
【００１５】
接触式カードリーダ４１は、上端から下端に向かうにつれて手前側に位置するように鍵管理装置の高さ方向に対して傾斜されて延在されたカード挿通溝４１ａと、カード挿通溝４１ａを通されたカードの情報を読取る読取手段（図示せず）を含んでいる。カード挿通溝４１ａの上端及び下端は開放されており、カード挿通溝４１ａの上端からカードを挿入し、カード挿通溝４１ａの下端からカードを引き抜くことができるようにされている。
【００１６】
非接触式カードリーダ４２は、上端から下端に向かうにつれて手前側に位置するように鍵管理装置の高さ方向に対して傾斜して設けられた読取手段４２ａと、読取手段４２ａの下部に設けられた支持部４２ｂとを含んでいる。読取手段４２ａは、読取手段４２ａに重ねられたカードの情報を読取る。支持部４２ｂは、読取手段４２ａに重ねられたカードを支持する。
【００１７】
接触式カードリーダ４１又は非接触式カードリーダ４２にて読取られたカードの情報に基づいて、そのカードを有する利用者に与えられている権限が確認される。いずれかの鍵を利用できる権限が利用者に与えられている場合、上述した外パネルのロックが解除されるとともに、利用可能な鍵が取付けられている鍵ホルダ１と係合部材との係合が解除される。
【００１８】
次に、図２は図１の鍵ホルダ１を示す斜視図であり、図３は図２の鍵ホルダ１を示す背面図である。図２及び図３に示されているように、鍵ホルダ１には、外装体１０、シリンダ体１１及びホルダアーム１２が含まれている。
【００１９】
外装体１０は、断面多角形の外形を有するケースである。外装体１０の後部外周面には、鍵ホルダ１の長手方向１ａに沿って延在された複数の識別溝１０ａが形成されている。識別溝１０ａの数及び識別溝１０ａの形成位置は、鍵ホルダ１毎に異なるようにされている。上述の各ホルダ挿入部２０（図１参照）には、そのホルダ挿入部２０に挿入されるべき鍵ホルダ１の識別溝１０ａに対応する突起が設けられており、各ホルダ挿入部２０は対応する鍵ホルダ１のみが最奥まで挿入できるように構成されている。本実施の形態の外装体１０は、３０個の鍵ホルダ１を識別できる数の識別溝１０ａを形成するために八角形の外形を有している。しかしながら、外装体１０の外形が有する角数は、識別すべき鍵ホルダ１の数や識別溝１０ａの大きさに応じて任意に変更できる。
【００２０】
鍵ホルダ１の長手方向１ａに沿う外装体１０の中間位置の外周面には凹部１０ｂ，１０ｃが設けられている。凹部１０ｂ，１０ｃには、ホルダ挿入部２０又は交換時挿入部３０（図１参照）に鍵ホルダ１が挿入された際に係合部材が係合される。
【００２１】
シリンダ体１１は、外装体１０の内部に設けられた筒状体である。図３に示すように、シリンダ体１１の後端には複数の鍵穴１１ａが形成されている。交換時挿入部３０（図１参照）には、シリンダ体１１の鍵穴１１ａに対応する鍵が設けられており、シリンダ体１１が交換時挿入部３０に挿入されて鍵が鍵穴１１ａに挿入された場合に、シリンダ体１１が外装体１０の内部で回動可能とされる。すなわち、対応する鍵が鍵穴１１ａに挿入されていない時には、シリンダ体１１は外装体１０の内部で回動できないようにロックされている。
【００２２】
ホルダアーム１２は、全体としてＵ字状に形成された部材である。図２及び図３には示していないが、ホルダアーム１２の後端部には係合爪が形成されており、外装体１０の内部でホルダアーム１２の係合爪がシリンダ体１１の係合溝に係合されることでホルダアーム１２がシリンダ体１１及び外装体１０から取り外すことができないようにされている（図５参照）。上述のように鍵が鍵穴１１ａに挿入されて外装体１０の内部でシリンダ体１１が回動された場合に、鍵ホルダ１の長手方向１ａに沿ってホルダアーム１２を引き抜くことが可能となる。なお、鍵ホルダ１は、識別溝１０ａを除いて左右対称に設けられている（識別溝１０ａを除いて鍵ホルダ１の左側面及び右側面は対象である）。
【００２３】
次に、図４は図１のホルダ挿入部２０を示す正面図であり、図５は図４のホルダ挿入部２０の断面図である。図４に示すように、各ホルダ挿入部２０の上方には、位置表示部６が設けられている。鍵を利用するための利用操作を操作手段４（図１参照）で利用者が行った場合に、利用が許可された鍵に対応する位置表示部６が発光することでその利用が許可された鍵の位置が示される。また、各ホルダ挿入部２０から鍵ホルダ１が抜き取られた後に異なる色で位置表示部６が発光することで、利用中の鍵の位置が示される。
【００２４】
しかしながら、本実施の形態の鍵管理装置のように高さ方向に沿って複数のホルダ挿入部２０を設けた場合、上段のホルダ挿入部２０に挿入された鍵ホルダ１の鍵によって下段のホルダ挿入部２０の位置表示部６が覆い隠される場合がある。本実施の形態では、位置表示部６よりも下方に位置する（すなわち、上段のホルダ挿入部２０からより離れた場所に位置する）ホルダ挿入部２０も位置表示の機能を有するように構成している。
【００２５】
図５に示すように、ホルダ挿入部２０は、ホルダケース２００、係合部材２１０及び発光部２２０を有している。ホルダケース２００は、例えば半透明のシリコン、ポリカーボネート、ＡＢＳ樹脂又はポリ塩化ビニル等の光透過性を有する素材により構成された筒状体であり、鍵ホルダ１が挿入される内側空間２０１を有している。内側空間２０１は、内側空間２０１の後部が内側空間２０１の前部に比べて下方に位置するように鍵管理装置の載置面に対して傾斜して設けられている。すなわち、鍵ホルダ１は、斜め下方に向けて内側空間２０１に挿入される。
【００２６】
係合部材２１０は、内側空間２０１の上方に配置されており、支点２１０ａを中心に回動可能に設けられている。係合部材２１０の後端には凹部２１０ｂが形成されており、この凹部２１０ｂにローラ２１１が押付けられることで、係合部材２１０の回動が規制されている。係合部材２１０の後部には舌片部２１０ｂが設けられており、内側空間２０１に挿入された鍵ホルダ１により舌片部２１０ｂが図中左側に押圧されることで、係合部材２１０が鍵ホルダ１の上方から凹部１０ｂ（図２参照）に係合される。鍵ホルダ１の利用が制限される場合には、ソレノイドアクチュエータ２１２により舌片部２１０ｂが鍵ホルダ１の後端に押付けられる。このソレノイドアクチュエータ２１２による押圧が解除された場合に、内側空間２０１から鍵ホルダ１を引き抜くことができる。
【００２７】
発光部２２０は、例えば発光ダイオード、白熱ランプ、蛍光ランプ、有機ＥＬ等により構成されるものであり、内側空間２０１の外側に配置されている。より具体的には、発光部２２０は、ホルダケース２００の上部外面に接して配置されており、発光方向２２０ａが鍵ホルダ１の挿入方向２０１ａに直交する方向（以下、直交方向２０１ｂと呼ぶ）に沿うように設けられている。発光方向２２０ａは、例えば、平板状の発光素子に対して垂直な方向である。
【００２８】
発光部２２０は、ホルダケース２００を照らす。すなわち、発光部２２０が発する光は、ホルダケース２００に入射される。発光部２２０が発する光は、ホルダケース２００の内部でホルダケース２００の界面を反射面としてホルダケース２００全体に拡がる。発光部２２０の発光は図示しない制御手段によって制御され、位置表示部６の発光と同期される。すなわち、本実施の形態の鍵管理装置は、発光部２２０の発光によりホルダケース２００が光るように構成されており、ホルダケース２００が光ることで利用者に対して鍵の位置表示が行われるように構成されている。ホルダケース２００が位置表示部６に比べて上段のホルダ挿入部２０からより離れた場所に位置するので、上段の鍵によって位置表示が確認できなくなる可能性が低減され、利用者の利便性が向上される。
【００２９】
ホルダケース２００の先端２０２（鍵ホルダ１の挿入方向２０１ａに沿うホルダケース２００の手前側の端部）は、鍵保持パネル２の外面に現れるように設けられており、図４に示すように、ホルダケース２００に挿入された鍵ホルダ１の外周を囲むように環状に形成されている。これにより、鍵ホルダ１の外周を囲む環状の光により位置表示が行われ、視認性が向上される。
【００３０】
ホルダケース２００の内側上部には、断面略Ｃ字状にホルダケース２００の内面が窪まされた凹陥部２０３が形成されている。凹陥部２０３の頂部は、発光部２２０の発光方向２２０ａに対して傾斜して設けられた傾斜面とされており、発光部２２０からの光をホルダケース２００の先端２０２に向けて反射する反射面とされている。これにより、より多くの光がホルダケース２００の先端２０２に導かれ、より鮮明な位置表示が行われる。
【００３１】
なお、図示はしないが、鍵ホルダ１がホルダケース２００から引き抜かれた状態でも、発光部２２０の発光によりホルダケース２００が光る。このとき、鍵保持パネル２の正面からホルダケース２００を見ると、先端２０２のみならず、内側空間２０１を囲む内周面及び内側空間２０１の後端に位置する後端面も光っているように見える。鍵保持パネル２の正面からホルダケース２００を見た際に先端２０２、内周面及び後端面が現れる広さは、一般に位置表示部６よりも広い。ホルダケース２００が位置表示の機能を有することにより発光面積がより広くなり、鍵ホルダ１がホルダケース２００から引き抜かれた状態のときに特に視認性が向上される。
【００３２】
このような鍵管理装置では、発光部２２０の発光によりホルダケース２００が光ることで利用者に対して鍵の位置表示が行われるように構成されているので、上段の鍵によって位置表示が確認できなくなる可能性を低減でき、利用者の利便性を向上できる。
【００３３】
また、ホルダケース２００の先端２０２は、ホルダケース２００に挿入された鍵ホルダ１の外周を囲むように環状に形成されているので、鍵ホルダ１の外周を囲む環状の光により位置表示を行うことができ、視認性を向上させることができる。
【００３４】
ホルダケース２００の内側には、発光部２２０の発光方向２２０ａに対して傾斜して設けられ、発光部２２０からの光をホルダケース２００の先端２０２に向けて反射する反射面が設けられているので、より多くの光をホルダケース２００の先端２０２に導くことができ、より鮮明な位置表示を行うことができる。
【００３５】
なお、実施の形態では、発光部２２０は、発光方向２２０ａが直交方向２０１ｂに沿うように設けられるように説明したが、発光部はホルダケースを照らすことができるように設けられていればよく、例えばホルダケース２００の後方から反挿入方向２０１ｃに沿ってホルダケース２００を照らしてもよい。
【００３６】
また、実施の形態では、ホルダ挿入部２０の上方に配置された位置表示部６においても位置表示を行うように説明しているが、位置表示部６は省略されていてもよい。また、図４の位置表示部６が設けられている位置に、各ホルダ挿入部を識別するための番号を付してもよい。
【符号の説明】
【００３７】
１  鍵ホルダ
２０  ホルダ挿入部
２００  ホルダケース
２０１  内側空間
２０２  先端
２２０  発光部
２２０ａ  発光方向
【図１】
2014218796.tif 000003
【図２】
2014218796.tif 000004
【図３】
2014218796.tif 000005
【図４】
2014218796.tif 000006
【図５】
2014218796.tif 000007